(57)【要約】【課題】紙葉類のバタツキや撓みを規制して検知センサの検知信号を正確に得ることができるようにする。【解決手段】紙葉類Ｐを搬送面Ｈに沿って搬送する搬送ベルト１，２と、搬送面Ｈに対向して設けられ、搬送ベルト１，２によって搬送される紙葉類Ｐを検知する検知センサ１２と、この検知センサ１２の少なくとも紙葉類導入側に設けられ、搬送面Ｈを介して対向配置される上下部のガイド部材５，６を有してなるガイド手段３と、上下部のガイド部材５，６の対向面に設けられたノズル２７ａ，２７ｂと、上下部のガイド部材５，６に圧縮気体を供給してノズル２７ａ，２７ｂから一対のガイド部材５，６間に噴出させる気体供給手段６４とを具備する。【選択図】図１
2004137054.tif 000002
【特許請求の範囲】
【請求項１】
紙葉類を搬送面に沿って搬送する搬送手段と、
前記搬送面に対向して設けられ、前記搬送手段によって搬送される紙葉類を検知する検知手段と、
この検知手段の少なくとも紙葉類導入側に設けられ、前記搬送面を介して対向配置される一対のガイド部材を有してなるガイド手段と、
前記一対のガイド部材の対向面に設けられたノズルと、
前記一対のガイド部材に圧縮気体を供給して前記ノズルから前記一対のガイド部材間に噴出させる気体供給手段と
を具備することを特徴とする紙葉類検知装置。
【請求項２】
紙葉類を搬送面に沿って搬送する搬送手段と、
前記搬送面に対向して設けられ、前記搬送手段によって搬送される紙葉類を検知する検知手段と、
この検知手段の少なくとも紙葉類導入側に設けられ、前記搬送面を介して対向配置される一対のガイド部材を有してなるガイド手段と、
前記一対のガイド部材の対向面に設けられたノズルと、
前記一対のガイド部材の一方を他方のガイド部材に向かって弾性的に付勢する付勢手段と、
前記一対のガイド部材に圧縮気体を供給して前記ノズルから前記一対のガイド部材間に噴出させることにより前記一方のガイド部材を前記付勢手段の付勢力に抗して移動させて前記一対のガイド部材間に隙間を形成させる気体供給手段と
を具備することを特徴とする紙葉類検知装置。
【請求項３】
前記ガイド手段は前記検知手段の紙葉類導入側及び搬出側にそれぞれ設けられることを特徴とする請求項１又は２記載の紙葉類検知装置。
【請求項４】
前記一対のガイド部材の対向面に前記紙葉類の搬送方向及びこの搬送方向と直交する方向にそれぞれ一定の間隔を存して設けた複数の溝部と、
前記一対のガイド部材の対向面の少なくとも前記複数の溝部によって囲まれる部位にそれぞれ設けられた複数のノズルと、
を具備することを特徴とする請求項１又は２記載の紙葉類検知装置。
【請求項５】
前記複数のノズルは前記紙葉類の搬送方向と平行な線上に列状に配置され、その最外側に位置するノズル列間の間隔は、前記紙葉類の搬送方向と直交する方向の幅寸法よりも広くされたことを特徴とする請求項４記載の紙葉類検知装置。
【請求項６】
前記一対のガイド部材の一方は、前記紙葉類の搬送方向及び該搬送方向と直交する方向に亘って縦横に分割された複数の分割ガイド部によって構成され、
前記分割ガイド部はそれぞれ可動自在に設けられ、圧縮気体を噴出するノズルを有することを特徴とする請求項１又は２記載の紙葉類検知装置。
【請求項７】
前記一対のガイド部材の一方は、前記紙葉類の搬送方向に亘って分割される複数の分割ガイド部によって構成され、
前記分割ガイド部は、それぞれ圧縮気体を噴出するノズルを有し、
前記気体供給手段は、前記複数の分割ガイド部に対する圧縮気体の供給をその圧力、或いは流量が一定の周期で異なるように切換え制御することにより、前記複数の分割ガイド部のノズルから噴出される圧縮気体の圧力変動、或いは流量変動を前記紙葉類の搬送方向に沿って移動させることを特徴とする請求項１又は２記載の紙葉類検知装置。
【請求項８】
前記気体供給手段は、前記分割ガイド部に供給する圧縮気体の圧力の高低により、或いは流量の増減によりノズルから吹き出される圧縮空気の圧力変動、或いは流量変動を発生させることを特徴とする請求項７記載の紙葉類検知装置。
【請求項９】
前記一対のガイド部材の他方のガイド部材は固定的に設けられたことを特徴とする請求項１乃至７のいずれか１項に記載の紙葉類検知装置。
【発明の詳細な説明】
【０００１】
【発明の属する技術分野】
本発明は、例えば、有価証券等の紙葉類に印刷された磁性インクを検知する紙葉類検知装置に関する。
【０００２】
【従来の技術】
この種の紙葉類検知装置には、例えば、搬送ベルトにより、紙葉類を検知センサに向かって挟持搬送して検知するもの、或いは、搬送ローラ対により紙葉類を検知センサに挟持搬送して検知するものがある。
【０００３】
また、この種の紙葉類検知装置には、穴部を有した搬送ベルト上に紙葉類を載置して吸着チャンバーに搬送し、ここで搬送ベルトの穴部からエアーを吸引する搬送ベルト上に紙葉類を吸着させ、この吸着された紙葉類の反吸着面側を全面的に検知できるようにしたものがある。
【０００４】
【発明が解決しようとする課題】
しかしながら、従来においては、搬送ベルトの振動や、搬送ローラ対による送り速度の変動により、紙葉類にバタツキや撓みが生じ、このバタツキや撓みが検知センサの検知信号にノイズとして混入し、正確な検知が期待できなくなるという不具合がある。
【０００５】
本発明は、上記事情に着目してなされたもので、その目的とするところは、紙葉類のバタツキや撓みを防止して検知手段の検知信号を正確に得ることができるようにした紙葉類検知装置を提供することにある。
【０００６】
【課題を解決するための手段】
上記課題を解決するため、請求項１記載のものは、紙葉類を搬送面に沿って搬送する搬送手段と、前記搬送面に対向して設けられ、前記搬送手段によって搬送される紙葉類を検知する検知手段と、この検知手段の少なくとも紙葉類導入側に設けられ、前記搬送面を介して対向配置される一対のガイド部材を有してなるガイド手段と、前記一対のガイド部材の対向面に設けられたノズルと、前記一対のガイド部材に圧縮気体を供給して前記ノズルから前記一対のガイド部材間に噴出させる気体供給手段とを具備する。
【０００７】
請求項２記載のものは、紙葉類を搬送面に沿って搬送する搬送手段と、前記搬送面に対向して設けられ、前記搬送手段によって搬送される紙葉類を検知する検知手段と、この検知手段の少なくとも紙葉類導入側に設けられ、前記搬送面を介して対向配置される一対のガイド部材を有してなるガイド手段と、前記一対のガイド部材の対向面に設けられたノズルと、前記一対のガイド部材の一方を他方のガイド部材に向かって弾性的に付勢する付勢手段と、前記一対のガイド部材に圧縮気体を供給して前記ノズルから前記一対のガイド部材間に噴出させることにより前記一方のガイド部材を前記付勢手段の付勢力に抗して移動させて前記一対のガイド部材間に隙間を形成させる気体供給手段とを具備する。
【０００８】
【発明の実施の形態】
以下、本発明を図面に示す実施の形態を参照して詳細に説明する。
図１は本発明の第１の実施の形態である紙葉類検知装置を示す平面図で、図２はその正面図、図３はその側面図である。
【０００９】
この検知装置は紙葉類Ｐの両側部を挟持して矢印Ｃ方向に搬送する搬送ベルト１，２を備え、この搬送ベルト１，２はローラ４ａ，４ｂ間に掛け渡されて走行されるようになっている。搬送ベルト１，２は対向配置される上下部のベルト部１ａ，１ｂ、２ａ，２ｂを有してなり、上下部のベルト部１ａ，１ｂ、２ａ，２ｂにより紙葉類Ｐを挟持して搬送する。
【００１０】
搬送ベルト１，２間には、ガイド手段としてのセンサガイド３が設けられている。このセンサガイド３は紙葉類Ｐの搬送面を介して所定間隔を存して対向配置される上下部のガイド部材５，６を有して構成されている。上下部のガイド部材５，６はホルダ８，９を介してベース１１に固定保持されている。
【００１１】
センサガイド３の紙葉類搬出側には、検知手段としての検知センサ１２が設けられている。この検知センサ１２は、例えば下部ガイド部材６のホルダ９により固定支持されている。
【００１２】
上下部のガイド部材５，６にはエアーチューブ１４，１５がそれぞれ接続され、圧縮流体、例えば圧縮空気が供給される。上部ガイド部材５は自在継ぎ手１７と軸１８を介して上部ホルダ８に支持されている。軸１８はその長さ方向に可動できるが、回転は規制されるようになっている。
【００１３】
ホルダ８と自在継ぎ手１７との間にコイルスプリング２０が介在され、このコイルスプリング２０内に軸１８が挿通されている。上部ガイド部材５はコイルスプリング２０の付勢力により下部ガイド部材６に向かって押し付けられ、自在継ぎ手１７の作用により下部ガイド部材６の上面部に沿って平行となるようになっている。
【００１４】
図４（ａ）は、センサガイド３を図１中の矢印Ｄ−Ｄ線に沿って示す断面図である。
上下部のガイド部材５，６はノズルボックス２１ａ，２１ｂを有し、このノズルボックス２１ａ，２１ｂは図示しないパッキン材を介して固定される蓋体２２ａ，２２ｂによって閉じられている。蓋体２２ａ，２２ｂには上記したエアーチューブ１４，１５がチューブフイッテイング２３ａ，２３ｂを介して接続されている。ノズルボックス２１ａ，２１ｂの紙葉類導入側の端面にはガイドプレート２５ａ，２５ｂが取付けられている。
ノズルボックス２１ａ，２１ｂの対向面には、圧縮空気を噴出させるノズル２７ａ…、２７ｂ…が形成されている。
【００１５】
図４（ｂ）は上下部のガイド部材５，６に圧縮気体としての圧縮空気を供給するための気体供給手段６４を示すブロック図である。
図中６５は圧縮空気源で、この圧縮空気源６５には減圧器６６及び電気信号により開閉される電磁弁６７を介してマニホールド６８が接続されている。マニホールド６８には、エアーチューブ１４，１５を介して上下部のガイド部材５，６が接続されている。
【００１６】
次に、上記したように構成される紙葉類検知装置の検知動作について説明する。
まず、紙葉類Ｐが搬送ベルト１，２の走行により挟持搬送されるとともに、圧縮空気源６５が動作される。圧縮空気源６５の動作により、圧縮空気が送り出され減圧器６６で減圧されたのち、電磁弁６７、マニホールド６８及びエアーチューブ１４，１５を介して上下部のガイド部材５，６にそれぞれ供給される。この供給された圧縮空気は、ノズル２７ａ…及び２７ｂ…からそれぞれ噴出される。
【００１７】
このノズル２７ａ…及び２７ｂ…から噴出された圧縮空気により、その圧力と流量及び大気圧、コイルスプリング２０の押圧力等の条件によって決まる空気層が上下部のガイド部材５，６の対向面間に形成され、上下部のガイド部材５，６は互いに反発して釣り合う。
【００１８】
この状態から上下部のガイド部材５，６間に紙葉類Ｐが送込まれ、上下部のガイド部材５，６と紙葉類Ｐの両面部との間にそれぞれ空気層が形成される。これにより、紙葉類Ｐは上下部のガイド部材５，６から浮き上がってその両面が空気層により押圧保持されて非接触の状態で検知センサ１２へと搬送ガイドされてその情報が検知されることになる。
【００１９】
このとき、上部ガイド部材５はコイルスプリング２０により押圧されていることから紙葉類Ｐはバタツキや撓みが制限されて平面が維持される。
【００２０】
上記したように、紙葉類Ｐは上下部のガイド部材５，６から浮き上がってその両面が空気層により押圧保持されて非接触の状態で搬送ガイドされるため、搬送ベルト１，２の振動によるバタツキや撓みが制限されて平面が維持される。
【００２１】
従って、検知センサ１２では紙葉類Ｐのバタツキや撓みが無い状態で信号を検出することができ、その検知精度を向上することができる。
【００２２】
図５は本発明の第２の実施の形態である紙葉類検知装置を示すもので、図６はその正面図、図７はその側面図である。
図３１中は、紙葉類Ｐを挟持搬送する第１の搬送部で、この第１の搬送部３１の紙葉類搬送方向下流側には紙葉類Ｐの搬送方向に沿って順次、ガイド手段としての第１のセンサガイド３２、検知手段としての検知センサ３３、ガイド手段としての第２のセンサガイド３４及び第２の搬送部３５が配設されている。
【００２３】
第１及び第２の搬送部３１，３５は、所定間隔を存して紙葉類Ｐの搬送方向に沿って平行に配設される上部搬送ベルト３１ａ，３１ａ，３５ａ，３５ａと、これら上部搬送ベルト３１ａ，３１ａ，３５ａ，３５ａの下部側に設けられ下部搬送ベルト３１ｂ，３１ｂ，３５ｂ，３５ｂとにより構成され、紙葉類Ｐを矢印Ｂ方向に挟持搬送するようになっている。
【００２４】
上部搬送ベルト３１ａ，３１ａ，３５ａ，３５ａ及び下部搬送ベルト３１ｂ，３１ｂ，３５ｂ，３５ｂは、ローラ３６，３６，３７，３７に掛け渡され、ローラ３６，３６，３７，３７は支持シャフト３８，３９を介してベース４１に保持されている。
【００２５】
第１及び第２のセンサガイド３２，３４は搬送面Ｈを介して対向配置される上下部のガイド部材５０，５１，５３，５４を有して構成され、検知センサ３３の前後に位置して配設されている。
【００２６】
第１のセンサガイド３２の上部ガイド部材５０は自在継ぎ手４３、支持バー４４及び支持ピン４５を介してホルダ４６に保持され、支持ピン４５周りに回転自在になっている。ホルダ４６はベース４１に固定されている。支持バー４４は、ホルダ４６に取付けられた押しねじ４８と、ばね材４９とにより加圧され、上部ガイド部材５０を下部ガイド部材５１に向かって押し付けるようになっている。下部ガイド部材５１はホルダ４７を介してベース４１に固定的に設けられている。
なお、第２のセンサガイド３４は第１のセンサガイド３２と同様に構成されるため、同一部分については同一符号を付してその説明を省略する。
【００２７】
図８は上記第１及び第２のセンサガイド３２，３４を構成する上下部のガイド部材５０，５１，５３，５４を示す断面図である。
上下部のガイド部材５０，５１，５３，５４は同様に構成されるため、上部ガイド部材５０を代表して説明する。上部ガイド部材５０はノズルボックス５６を有し、このノズルボックス５６は図示しないパッキン材を介して固定される蓋体５７により閉じられている。蓋体５７には上記したエアーチューブ５８がチューブフイッテイング５９を介して接続されている。ノズルボックス５６には、後述するように、圧縮空気を噴出させるノズルが多数形成されている。
【００２８】
即ち、上下部のガイド部材５０，５１，５３，５４の対向面６１には、図９に示すように、ａ，ｂ，ｃ，ｄ，ｅ行と、ｊ，ｋ，１，ｍ，ｎ列のマトリクス状にノズルａｊ，…ｅｎが設けられ、また、ノズルａｊ，…ｅｎを囲むように溝部ａｂ，ｂｃ，ｃｄ，ｄｅ，ｊｋ，ｋｌ，ｌｍ，ｍｎが設けられている。
なお、最外側に配置されるｊ列とｎ列のノズル間の距離は紙葉類Ｐの幅方向の寸法よりも大きくされている。
【００２９】
溝部ｊｋ，ｋｌ，ｌｍ，ｍｎは、紙葉類Ｐの搬送方向に沿って平行に形成され、溝部ａｂ，ｂｃ，ｃｄ，ｄｅは、紙葉類Ｐの搬送方向と直交する方向に沿って平行に形成されている。
ノズルａｊ，…ｅｎにはノズルボックス５６と蓋体５７との間の空洞６３から圧縮空気が供給される。溝部ａｂ，ｂｃ，ｃｄ，ｄｅは紙葉類Ｐが矢印Ｄの方向に搬送された場合に溝部ａｂ，ｂｃ，ｃｄ，ｄｅの角が搬送の妨げにならないように鋸歯状にしてある。
【００３０】
上下部のガイド部材５０，５１，５３，５４の対向面６１に形成されたノズルａｊ，…ｅｎ及び溝部ａｂ，ｂｃ，ｃｄ，ｄｅは対向する位置に設けてあるが、ノズルａｊ，…ｅｎは対向する位置をずれて設置しても良い。
【００３１】
図１０は、図９のＥ―Ｅ部の断面を示し、ガイド部材５０（５３）と５１（５４）及び紙葉類Ｐとの位置関係を、また、圧縮空気の流れの状態を矢印で示すものである。
【００３２】
図１１は第１及び第２のセンサガイド３２，３４を構成する上下部のガイド部材５０，５１，５３，５４に圧縮空気を供給するための気体供給手段を示すブロック図である。なお、この気体供給手段は図４（ｂ）で示した気体供給手段６４と略同様に構成されるため、同一部分については同一符号を付す。
【００３３】
図中６５は圧縮空気源で、この圧縮空気源６５には減圧器６６及び電気信号により開閉される電磁弁６７を介してマニホールド６８が接続されている。マニホールド６８には、エアーチューブ５８…を介して上下部のガイド部材５０，５１，５３，５４が接続されている。
【００３４】
次に、上記したように構成される紙葉類検知装置の検知動作について説明する。
まず、搬送ベルト３１の走行により紙葉類Ｐが挟持搬送されるとともに、圧縮空気源６５が動作される。圧縮空気源６５の動作により、圧縮空気が送られ、この圧縮空気は、減圧器６６で減圧されたのち、電磁弁６７、マニホールド６８及びエアーチューブ５８…を介して図１０に示すように、上下部のガイド部材５０，５１，５３，５４にそれぞれ供給される。
【００３５】
この圧縮空気は、上下部のガイド部材５０，５１、５３，５４の対向面６１，６１の各ノズルａｊ，…ｅｎから噴射される。この噴射により、上下部のガイド部材５０，５１、及び５３，５４が反発するとともに、噴射された圧縮空気は、ノズルａｊ，…ｅｎの周囲の溝部ａｂ，ｂｃ，ｃｄ，ｄｅからガイド部材５０，５１、５３，５４の外部に排出される。
【００３６】
これにより、上部側のガイド部材５０，５３は下部側のガイド部材５１，５４から離れる方向に自在継ぎて４３と支持バー４４の支持ピン４５で支持されながら持ち上げられるが、スプリング４９の押圧力と、圧縮空気の噴出力による空気層が平衡した位置で停止する。
【００３７】
この状態から、上下部のガイド部材５０と５１との間に紙葉類Ｐが送り込まれ、上下部のガイド部材５０と５１と紙葉類Ｐの両面部との間に圧縮空気層が形成される。これにより、紙葉類Ｐは空間に浮いた状態でその両面が空気層により押圧保持されて検知センサ３３に搬送ガイドされて情報が検知されることになる。
【００３８】
この検知後、紙葉類Ｐは下流側に位置する上下部のガイド部材５３，５４との間に送り込まれて上記したと同様に空間に浮いた状態で搬送ガイドされる。
【００３９】
なお、上下部のガイド部材５０，５１及び５３，５４のノズル周囲の平面部との間の隙間、また、紙葉類Ｐの両面部と上下部のガイド部材５０，５１，５３，５４のノズル周囲の平面部との間の間隙は、圧縮空気の圧力を０．１ＭＰａ、スプリング４９の押圧力を０．１Ｎ、ノズルの径を１ｍｍとした場合に約０，０３０〜０．０５０ｍｍ程度となる。
従って、紙葉類Ｐは０，０３０〜０．０５０ｍｍの空間内で搬送されることになり、バタッキや撓み等は殆ど無視できる値となり、検知センサ３３では安定した検知信号が得られる。
【００４０】
また、この実施の形態では、図１０に示すように図９の紙葉類搬送方向から見たノズルの対向部では、紙葉類Ｐの両端の外側にあるｊ列及びｎ列上に配列されるノズルの対向面は紙葉類Ｐの厚み分だけ間隙が大きくなって紙葉類Ｐがある部分より空気層の流速が遅くなるため、圧力が高くなり、紙葉類Ｐを内側に押す力として働く。
【００４１】
従って、上下部のガイド部材５０，５１及び５３，５４間において、紙葉類Ｐは搬送ベルト３１，３５の拘束が無くても蛇行することなく真っ直ぐに惰性で進行させることができる。
なお、センサガイド３２，３４内における紙葉類Ｐの搬送をより確実にするには、ベルト３１，３５のガイドローラ３６，３７の間隔を紙葉類Ｐの搬送方向の長さより短い値にしておけば、紙葉類Ｐは搬送ベルト３１又は３５のどちらかに挟持されることになり、搬送力を損なうことはない。
また、図５の３３ａは検知センサ３３と対向する面のガイドにするために、上部ガイド部材５０に固定したダミー又はセンサで、３３ｂは上部ガイド部材５３に固定したダミー又はセンサである。
【００４２】
図１２は本発明の第３の実施の形態であるセンサガイド７１を示すものである。
このセンサガイド７１は搬送面Ｈを介して対向配置される上下部のガイド部材７２，７３を有して構成される。紙葉類Ｐは上下部のガイド部材７２，７３によってガイドされて矢印Ｑの方向に搬送される。
【００４３】
下部ガイド部材７３は、固定的に設けられ、上面部に複数のノズル孔（図示しない）を有し、下面部にはエアーチューブ７４が接続されている。
上部ガイド部材７２は、複数個の分割ガイド部７２ａ…によって構成され、これら複数個の分割ガイド部７２ａ…は紙葉類Ｐの搬送方向及び該搬送方向と直交する方向に沿って縦横に配列されている。
【００４４】
分割ガイド部７２ａ…にはエアーチューブ７６がそれぞれ接続されて圧縮空気が供給されるようになっている。分割ガイド部７２ａ…には自在継ぎ手７８を介して軸７９が接続され、これら軸７９…はホルダ８０によって上下動自在に保持されるが、その回転方向の動きは規制されている。
【００４５】
ホルダ８０と自在継ぎ手７８との間にはコイルスプリング８２が圧縮状態で介在され、このコイルスプリング８２内に軸７９が貫通されている。
コイルスプリング８２の復元力で分割ガイド部７２ａ…を下部ガイド部材７３に押し付けるようになっている。分割ガイド部７２の下面部にはノズル孔（図示しない）が形成され、圧縮空気が噴出される。下部ガイド部材７３の搬送面Ｈ側に設けられたノズル孔は、分割ガイド部７ａのそれぞれに対向している。
【００４６】
この実施の形態によれば、上部ガイド部材７２を縦横に配列される複数の分割ガイド部７２ａ…によって構成するため、紙葉類Ｐをより狭い範囲で紙葉類Ｐの厚み分布状態等の変化に合わせてガイドすることが可能となり、紙葉類Ｐのバタツキや撓みをより一層確実に抑制することができる利点ある。
【００４７】
図１４は、本発明の第４の実施の形態であるセンサガイド８５を示すものである。
センサガイド８５は対向配置される上下部のガイド部材８６，８７を有して構成される。
上部ガイド部材８６は、紙葉類Ｐの搬送方向と直交する方向にのみ平行に複数個の分割ガイド部８６ａ〜８６ｅに分割されている。これら分割ガイド部８６ａ〜８６ｅは図１２で示したものと同様の構成で支持されて可動し、上面部にはそれぞれエアーチューブ８８が接続されている。
なお、下部ガイド部材８７も図１２で示したものと同様に構成され、固定保持されている。
【００４８】
図１５は上記した上部ガイド部材８６の分割ガイド部８６ａ〜８６ｅに圧縮空気を供給するための気体供給手段９０を示すブロック図である。
図中９１は、圧縮空気源でこの圧縮空気源９１には、第１及び第２の減圧器９２，９３を介して第１及び第２のマニホールド９５，９６が接続されている。第１及び第２のマニホールド９５，９６には電磁弁９７ａ〜９７ｅ及びエアーチューブ８８を介して分割ガイド部８６ａ〜８６ｅがそれぞれ接続されている。
【００４９】
第１の減圧器９２は、例えば、０．１ＭＰａ，第２の減圧器９３は０．１５Ｍｐａに設定され、電磁弁９７ａ〜９７ｅを電気信号で切り替えることにより、分割ガイド部８６ａ〜８６ｃに高低２種類の圧力を供給することができるようになっている。
【００５０】
この実施の形態によれば、電磁弁９７ａ〜９７ｅの切替制御によって分割ガイド部８６ａ〜８６ｅに供給する圧縮空気の圧力を紙葉類Ｐの搬送方向に一定周期で高，低に切り替えることにより、あたかも走行圧力波のように紙葉類Ｐを圧力波に乗せて良好に搬送することが可能となる。
【００５１】
なお、圧縮空気の圧力の高低ではなく、流量の増減により搬送力を得るようにしても良い。
その他、本発明はその要旨の範囲内で種々変形実施可能なことは勿論である。
【００５２】
【発明の効果】
以上説明したように本発明によれば、対向配置された一対のガイド部材の対向面に設けたノズルから圧縮気体を噴出させて間隙を形成し、この間隙に紙葉類を搬送挿入するため、紙葉類はその両面が気体層により押圧保持されて非接触で搬送ガイドされる。従って、紙葉類のバタツキや撓みの発生を規制でき、検知手段の検知精度を向上できるという効果を奏する。
【図面の簡単な説明】
【図１】本発明の第１の実施の形態である紙葉類検知装置を示す平面図。
【図２】図１の紙葉類検知装置を示す正面図。
【図３】図１の紙葉類検知装置を示す側面図。
【図４】（ａ）は図１の紙葉類検知装置をＤ−Ｄ線に沿って示す断面図で、（ｂ）はセンサガイドに圧縮空気を供給する供給機構を示すブロック図。
【図５】本発明の第２の実施の形態である紙葉類検知装置を示す正面図。
【図６】図５の紙葉類検知装置を示す平面図。
【図７】図５中Ａ−Ａ線に沿って示す図。
【図８】図５の紙葉類検知装置に備えられるセンサガイドの上部ガイド部材を示す断面図。
【図９】図８の上部ガイド部材を示す下面図。
【図１０】図５の紙葉類検知装置に備えられるセンサガイドを示す断面図。
【図１１】図１０のセンサガイドに圧縮空気を供給する供給機構を示すブロック図。
【図１２】本発明の第３の実施の形態であるセンサガイドを示す正面図。
【図１３】図１２のセンサガイドを示す平面図。
【図１４】本発明の第４の実施の形態であるセンサガイドを示す平面図。
【図１５】図１４のセンサガイドに圧縮空気を供給する供給機構を示すブロック図。
【符号の説明】
Ｐ…紙葉類、Ｈ…搬送面、１，２…搬送ベルト（搬送手段）、３，３２，３４，７１，８５…センサガイド（ガイド手段）、５，６…一対のガイド部材、１２…検知センサ（検知手段）、２０…コイルスプリング（付勢手段）、２７ａ，２７ｂ…ノズル、３１，３５…第１及び第２の搬送部（搬送手段）、５０，５１…一対のガイド部材、５３，５４…一対のガイド部材、６４，９０…気体供給手段、７２，７３…一対のガイド部材、ａｂ，ｂｃ，ｃｄ，ｄｅ，ｊｋ，ｋｌ，ｌｍ，ｍｎ…溝部、ａｊ，〜ｅｎ…ノズル、７２ａ…分割ガイド部、８６ａ〜８６ｅ…分割ガイド部。
【図１】
2004137054.tif 000003
【図２】
2004137054.tif 000004
【図３】
2004137054.tif 000005
【図４】
2004137054.tif 000006
【図５】
2004137054.tif 000007
【図６】
2004137054.tif 000008
【図７】
2004137054.tif 000009
【図８】
2004137054.tif 000010
【図９】
2004137054.tif 000011
【図１０】
2004137054.tif 000012
【図１１】
2004137054.tif 000013
【図１２】
2004137054.tif 000014
【図１３】
2004137054.tif 000015
【図１４】
2004137054.tif 000016
【図１５】
2004137054.tif 000017